(57)【要約】【課題】  組立て時にスピットカップの抜けが阻止されるインクジェットプリンタ装置を提供する。【解決手段】  インクジェットプリンタ装置１では、インクを封入したインクカートリッジ３と、インクカートリッジを保持して往復動するキャリッジ２と、用紙を搬送するための紙送りローラ４と、キャリッジと紙送りローラ等を保持するベース５とを備えている。ベース５における所定の位置には、インクを受けるためのスピットカップ６が配設されている。スピットカップは、ベース５に設けた所定の軸部７によって保持され、その軸部は１対のカギ状のフックにより構成されている。１対のフックが開口部の開口端付近を係止することによって、スピットカップ６がベース５に回動可能に保持されることになる。【選択図】        図１
2006326919.tif 000002
【特許請求の範囲】
【請求項１】
インクカートリッジを走査可能に保持するキャリッジと、
前記キャリッジを保持するベースと、
前記ベースにおいて、前記インクカートリッジのホームポジションに対応した所定の位置に配設され、前記インクカートリッジのインクを受けるためのスピットカップと、
前記ベースに設けられ、前記スピットカップの所定の開口部に挿通されて前記スピットカップを回動可能に保持する軸部と
を備え、
前記軸部は、前記スピットカップの前記開口部の開口端を係止する係止部がそれぞれ形成された１対のフックを含む、インクジェットプリンタ装置。
【請求項２】
インクカートリッジのインクを受けるスピットカップを有するインクジェットプリンタ装置であって、
前記スピットカップを回動可能に保持するベースと、
前記ベースに設けられ、前記スピットカップに設けられた所定の開口部に挿通される軸部と
を有し、
前記軸部は前記開口部の開口端を係止するフックを備えた、インクジェットプリンタ装置。
【請求項３】
前記フックは前記開口部の径方向に１対配設された、請求項２記載のインクジェットプリンタ装置。
【請求項４】
前記ベースおよび前記軸部は一体成型された、請求項２または３に記載のインクジェットプリンタ装置。
【発明の詳細な説明】
【技術分野】
【０００１】
本発明はインクジェットプリンタ装置に関し、特に、インクカートリッジのインクを受けるスピットカップを備えたインクジェットプリンタ装置に関するものである。
【背景技術】
【０００２】
プリンタ装置の一形態としてインクジェットプリンタ装置がある。インクジェットプリンタ装置では、所定の色のインクを封入し、そのインクを所定の用紙に吹付けることによって文字や画像を印刷するためのインクカートリッジと、そのインクカートリッジを保持して往復動するキャリッジと、用紙を搬送するためのローラと、そのキャリッジとローラを保持するベースとを備えている。
【０００３】
インクカートリッジは、印刷が終了すると所定のホームポジションに移動して待機することになる。そして、印刷時には動作開始直前にインクカートリッジのノズルに付着しているインクが拭き取られ、所定の印刷エリアにインクカートリッジが移動して印刷動作が行なわれることになる。
【０００４】
しかしながら、印刷の精度を高めるのに印刷の前にノズルのインクを拭き取るだけでは不十分であり、たとえば、特許文献１では、あらかじめノズルよりインクを予備吐出させるインクジェットプリンタ装置が提案されている。図７に示すように、そのインクジェットプリンタ装置のフレーム１０５には、予備吐出されたインクを受けるための円形のスピットカップ１０６がインクカートリッジのホームポジションにおける所定の位置に配設されている。
【０００５】
このスピットカップ１０６の外周部分には、全周にわたってのこ歯状の凹凸１０６ｂが設けられている。１度の予備吐出が行なわれるごとに所定の押し部材（図示せず）によってこの凹凸１０６ｂが一方向に押されることで、スピットカップ１０６が凹凸１０６ｂのピッチに基づいて回転し、前回の吐出位置とは異なる位置に吐出されることになる。このようにして、スピットカップ１０６の同じ位置にインクが吐出されてインクが堆積するのを低減している。
【特許文献１】特開２００５−３５０６５号公報
【発明の開示】
【発明が解決しようとする課題】
【０００６】
しかしながら、従来のインクジェットプリンタ装置では次のよな問題点があった。図７に示すように、スピットカップ１０６は、スピットカップ１０６に設けられた開口部１０６ａをベース１０５に設けられた軸部１０７に挿通することによって、ベース１０５に回動可能に装着されている。
【０００７】
ところが、そのスピットカップ１０６は、図８に示すように、軸部１０７に単に挿通されているだけなので、インクジェットプリンタ装置の組み立て時においては、スピットカップ１０６を軸部１０７に挿通した後において、スピットカップ１０６が軸部１０７から容易に抜けてしまい、スピットカップが欠落するおそれがあった。
【０００８】
本発明は上記問題点を解決するためになされたものであり、その目的は組立て時にスピットカップの抜けが阻止されるインクジェットプリンタ装置を提供することである。
【課題を解決するための手段】
【０００９】
本発明に係るインクジェットプリンタ装置は、キャリッジとベースとスピットカップと軸部とを備えている。キャリッジはインクカートリッジを走査可能に保持する。ベースはキャリッジを保持する。スピットカップは、ベースにおいて、インクカートリッジのホームポジションに対応した所定の位置に配設されてインクカートリッジのインクを受ける。軸部はベースに設けられ、スピットカップの所定の開口部に挿通されてスピットカップを回動可能に保持する。その軸部は、スピットカップの開口部の開口端を係止する係止部がそれぞれ形成された１対のフックを含んでいる。
【００１０】
この構造によれば、スピットカップが、ベースに設けた１対のフックによって係止されることになる。これにより、インクジェエトプリンタ装置の組み立て時に、スピットカップを軸部に挿通した後において、スピットカップが軸部から容易に抜けてしまうことがなくなり、その結果、スピットカップの欠落を防止することができる。
【００１１】
本発明に係る他のインクジェットプリンタ装置は、インクカートリッジのインクを受けるスピットカップを有するインクジェットプリンタ装置であって、ベースと軸部とを有している。ベースはスピットカップを回動可能に保持する。軸部はベースに設けられ、スピットカップに設けられた所定の開口部に挿通される。その軸部は開口部の開口端を係止するフックを備えている。
【００１２】
この構造によれば、スピットカップが、ベースに設けたフックによって係止されることになる。これにより、インクジェエトプリンタ装置の組み立て時に、スピットカップを軸部に挿通した後において、スピットカップが軸部から容易に抜けてしまうことがなくなり、その結果、スピットカップの欠落を防止することができる。
【００１３】
フックの態様として、フックは開口部の径方向に１対配設されていることが好ましい。
また、生産性の観点からベースおよび軸部は一体成型されていることが好ましい。
【発明を実施するための最良の形態】
【００１４】
本発明の実施の形態に係るインクジェットプリンタ装置について説明する。図１に示すように、インクジェットプリンタ装置１では、所定の色のインクを封入したインクカートリッジ３と、インクカートリッジ３を保持して往復動するキャリッジ２と、用紙を搬送するための紙送りローラ４と、キャリッジ２と紙送りローラ４等を保持するベース５とを備えている。
【００１５】
そして、図２に示すように、そのベース５におけるインクカートリッジ３のホームポジションに対応した位置には、インクカートリッジ３に封入されたインクを受けるためのスピットカップ６が配設されている。スピットカップ６の外周部分には、全周にわたってのこ歯状の凹凸６ｂが設けられている。図３に示すように、１度の予備吐出が行なわれるごとに所定の押し部材８によって凹凸６ｂが一方向に押されて、凹凸６ｂのピッチに基づいてスピットカップ６が矢印に示す向きに回転する。
【００１６】
これにより、新たに吐出されるインクは、その前に吐出された位置とは異なる位置に吐出されることになって、スピットカップ６の同じ位置にインクが吐出されてインクが堆積するのを抑制している。そのスピットカップ６は、ベース５に設けた所定の軸部７によって保持されている。
【００１７】
図４に示すように、軸部７は１対のカギ状のフック７ａ，７ｂにより構成されている。その軸部７は、図５に示すように、スピットカップ６の中央部に設けられた開口部６ａに挿通され、図６に示すように、スピットカップ６の開口部６ａの開口端付近が１対のフック７ａ，７ｂによって径方向から係止されることになる。これにより、スピットカップ６がベース５に回動可能に保持されることになる。
【００１８】
上述したインクジェットプリンタ装置では、スピットカップ６が、ベース５に設けた１対のフック７ａ，７ｂによって係止されることになる。これにより、インクジェエトプリンタ装置の組み立て時に、スピットカップ６を軸部７に挿通した後において、スピットカップ６が軸部７から容易に抜けてしまうことがなくなり、その結果、スピットカップ６の欠落を確実に防止することができる。
【００１９】
なお、上述したインクジェットプリンタ装置では、軸部７のフックとして２つのフック７ａ，７ｂを例に挙げて説明したが、これに限られるものではなく、３つ以上のフックを備えていてもよい。また、そのような軸部７をベース５と一体的に成型（樹脂成型）により形成することで、コストの削減も図ることができる。
【００２０】
なお、今回開示された実施の形態は例示にすぎずこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２１】
【図１】本発明の実施の形態に係るインクジェットプリンタ装置の分解斜視図である。
【図２】同実施の形態において、インクカートリッジがホームポジションに位置する状態における分解斜視図である。
【図３】同実施の形態において、スピットカップの動作を説明するための平面図である。
【図４】同実施の形態において、スピットカップを保持する軸部を示す部分拡大斜視図である。
【図５】同実施の形態において、軸部に保持されたスピットカップを示す部分拡大斜視図である。
【図６】同実施の形態において、図５に示す断面線ＶＩ−ＶＩにおける部分断面図である。
【図７】従来のインクジェットプリンタ装置において、軸部に保持されたスピットカップを示す部分拡大斜視図である。
【図８】同実施の形態において、図７に示す断面線ＶＩＩＩ−ＶＩＩＩにおける部分断面図である。
【符号の説明】
【００２２】
１  インクジェットプリンタ装置、２  キャリッジ、３  インクカートリッジ、４  紙送りローラ、５  ベース、６  スピットカップ、６ａ  開口部、６ｂ  凹凸、７  軸部、７ａ，７ｂ  フック。
【図１】
2006326919.tif 000003
【図２】
2006326919.tif 000004
【図３】
2006326919.tif 000005
【図４】
2006326919.tif 000006
【図５】
2006326919.tif 000007
【図６】
2006326919.tif 000008
【図７】
2006326919.tif 000009
【図８】
2006326919.tif 000010